【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
プラットフォームのシステム上で、作業を実施する方法であって、
前記プラットフォームのデータ処理システムにより、作業スクリプトを受け取るステップであって、前記作業スクリプトが、前記システム上で前記作業を実施するための作業工程を特定し、前記システム上で前記作業を実施するための前提条件を含んだ、前記システム上で前記作業を実施するための規則を特定するものである、ステップと、
前記作業スクリプトが本物かどうかを判定するために、前記データ処理システムにより、前記作業スクリプト用のデジタル署名をチェックするステップと、
前記データ処理システムにより、前記システム上で前記作業を実施するための前提条件が満たされているか判定するステップと、
前記作業スクリプトが本物であることと、前記システム上で前記作業を実施するための規則が満たされたこととの決定に応じて、前記システム上で前記作業を実施するために、前記データ処理システムにより、前記作業スクリプトを実行するステップとを含む方法。
【請求項２】
前記データ処理システムにより、前記作業を実施するための方針が満たされているかどうかを判定するステップと、
前記方針が満たされているという決定に応じて、前記作業を実施するために、前記作業スクリプトを実行するステップとをさらに含む、請求項1に記載の方法。
【請求項３】
前記デジタル署名が、
前記作業スクリプトの供給源を特定する、作業スクリプト用デジタル署名と、
前記システム上で、前記作業を実施する整備を行う存在を特定する、整備を行う存在用デジタル署名と、
前記システム上で、前記作業を実施する人員を特定する、人員用デジタル署名と、
前記システム上で、前記作業を実施する整備装置を特定する、装置用デジタル署名とから選択される、請求項1に記載の方法。
【請求項４】
前記システム上で実施された前記作業を示す報告を、前記データ処理システムによって生成するステップと、
前記報告に、前記データ処理システムにより、前記プラットフォーム用のデジタル署名で署名するステップと、
前記プラットフォーム用の前記デジタル署名を有する前記報告を、前記プラットフォームから離して、前記データ処理システムによって送るステップとをさらに含む、請求項1に記載の方法。
【請求項５】
前記データ処理システムにより、前記システム上で前記作業を実施する人員を特定するステップであって、前記報告を生成するステップが、前記報告に、前記人員を示すステップを含むステップと、
前記データ処理システムにより、前記システム上で、前記作業を実施するために使用される整備装置を特定するステップであって、前記報告を生成するステップが、前記報告に、前記整備装置を示すステップを含むステップとから選択される1つをさらに含む、請求項4に記載の方法。
【請求項６】
前記データ処理システムにより、前記作業を実施するための選択肢を特定するステップと、
前記データ処理システムにより、選択肢セレクションを受け取るステップであって、前記選択肢セレクションが、前記作業を実施するための前記選択肢から選択される選択肢を特定し、かつ  前記報告を生成するステップが、前記報告に、選択された前記選択肢を示すステップを含むステップとをさらに含む、請求項4に記載の方法。
【請求項７】
前記報告に、前記システムを特定するシステム用デジタル署名で署名するステップをさらに含む、請求項4に記載の方法。
【請求項８】
前記プラットフォームが航空機であり、
前記データ処理システムが、前記航空機の航空機ネットワークデータ処理システムであり、
前記作業スクリプトを受け取るステップが、前記航空機が地上にある場合、前記航空機で、前記作業スクリプトを受け取るステップを含み、
前記航空機が飛行中になる前に、前記航空機で前記作業スクリプトを受け取り、前記航空機で前記作業を実施するステップに続いて、前記作業スクリプトを前記航空機から取り除くステップをさらに含む、請求項1に記載の方法。
【請求項９】
作業スクリプトを受け取るように構成された受信機であって、前記作業スクリプトが、前記プラットフォームのシステム上で作業を実施するための作業工程を特定し、前記システム上で前記作業を実施するための前提条件を含んだ、前記プラットフォームのシステム上で作業を実施するための規則を特定するものである、受信機と、
前記作業スクリプトが本物かどうかを判定するために、前記作業スクリプト用のデジタル署名をチェックするように構成されたデジタル署名チェッカと、
前記システム上で前記作業を実施するための前提条件が満たされているか判定するように構成された規則チェッカと、
前記作業スクリプトが本物であることと、前記システム上で前記作業を実施するための規則が満たされたこととの決定に応じて、前記システム上で前記作業を実施するために、前記作業スクリプトを実行するように構成された作業実行部とを備える、プラットフォームの装置。
【請求項１０】
前記規則チェッカが、前記作業を実施するための方針が満たされているかどうかを判定するように構成され、
前記作業実行部が、前記方針が満たされているという決定に応じて、前記作業を実施するために、前記作業スクリプトを実行するように構成された、請求項9に記載の装置。
【請求項１１】
前記デジタル署名が、
前記作業スクリプトの供給源を特定する、作業スクリプト用デジタル署名と、
前記システム上で、前記作業を実施する整備を行う存在を特定する、整備を行う存在用デジタル署名と、
前記システム上で、前記作業を実施する人員を特定する、人員用デジタル署名と、
前記システム上で、前記作業を実施する整備装置を特定する、装置用デジタル署名とから選択される、請求項9に記載の装置。
【請求項１２】
前記システム上で実施された前記作業を示す報告を生成するように構成された報告生成装置と、
前記報告に、前記プラットフォーム用のデジタル署名で署名するように構成された署名装置と、
前記プラットフォーム用の前記デジタル署名を有する前記報告を、前記プラットフォームから離して送るように構成された送信機とをさらに含む、請求項9に記載の装置。
【請求項１３】
前記装置が、前記システム上で前記作業を実施する人員を特定する人員識別装置をさらに含み、前記報告生成装置が、前記報告に、前記人員と前記作業を実施するために使用される整備装置を示すように構成された、請求項12に記載の装置。
【請求項１４】
前記装置が、前記作業を実施するための選択肢から選択される選択肢を特定する選択しセレクションを受け取るように構成された選択肢セレクタをさらに含み、かつ  前記報告生成装置が、前記報告に、選択された前記選択肢を示すように構成された、請求項12に記載の装置。
【請求項１５】
前記署名装置が、前記報告に、前記システムを特定するシステム用デジタル署名で署名するように構成された、請求項12に記載の装置。
【請求項１６】
前記プラットフォームが航空機であり、
前記受信機が、前記航空機が地上にある場合、前記航空機上で前記作業スクリプトを受け取るように構成され、
前記航空機が飛行中になる前に、前記航空機で前記作業スクリプトを受け取り、前記航空機で前記作業を実施することに続いて、前記作業スクリプトを前記航空機から取り除くように構成された作業スクリプトリムーバをさらに含む、請求項9に記載の装置。
【請求項１７】
プラットフォームのシステム上で、作業を実施する方法であって、
作業スクリプトに、プロセッサユニットにより、デジタル署名で署名するステップであって、前記プロセッサユニットが、（1）前記プラットフォームに対して移動させられるように構成された携帯型整備装置におけるプロセッサユニットと、（2）前記プラットフォームと通信する遠隔コンソールにおけるプロセッサユニットと、から選択されるものであるステップと、
前記プロセッサユニットが、デジタル署名とともに前記作業スクリプトを前記プラットフォームへ送信するステップと、
前記プロセッサユニットにより、作業指示を受け取るステップであって、前記作業指示が、前記プラットフォームの前記システム上で実施されるべき前記作業を特定するステップと、
前記プロセッサユニットにより、前記作業指示を受け取るステップに応じて、前記作業用の作業スクリプトを特定するステップであって、前記作業スクリプトが、機械によって実行可能であり、かつ前記システム上で前記作業を実施するための作業工程を特定するものであり、かつ、前記システム上で前記作業を実施するための前提条件を含む、前記システム上で前記作業を実施するための規則を特定するものである、ステップと、
前記作業スクリプトが本物であることと、前記システム上で前記作業を実施するための規則が満たされたこととの決定に応じて、前記作業スクリプトを実行するステップと、
を含む方法。
【請求項１８】
前記プラットフォームが航空機である、請求項１７に記載の方法。
【請求項１９】
前記プラットフォームが、建物、石油掘削装置、もしくは、ビークル（vehicle）を含む、請求項１に記載の方法。